(57)【要約】【課題】  放熱性に優れたプリント基板を備えた電気機器を提供することを目的とし、特に、複数のプリント基板を必要とする電気機器に対して低コストで且つ放熱効果の向上が図られた電気機器を提供することを目的とする。【解決手段】  メインプリント基板１０とサブ基板１７とを共取りとし、サブ基板１７を発熱電子部品２３・放熱板２３ａの近傍又は直下となる部分に形成することにより、サブ基板１７がメインプリント基板１０から切離されることで、メインプリント基板１０上の発熱電子部品２３・放熱板２３ａの近傍又は直下となる部分に通風孔となる穴が形成される。【選択図】      図１
2005327896.tif 000002
【特許請求の範囲】
【請求項１】
発熱する電子部品又は電子装置が実装されるプリント基板であって、当該プリント基板から切離されて使用される共取り基板を、前記発熱する電子部品又は電子装置が実装される部分の近傍又は直下となる部分に形成したことを特徴とする放熱効果を高めたプリント基板。
【請求項２】
請求項１記載の放熱効果を高めたプリント基板を備えたことを特徴とする放熱効果を高めたプリント基板を備えた電気機器。
【請求項３】
請求項１記載の放熱効果を高めたプリント基板を備え、且つ、前記共取り基板がＣＲＴ基板であることを特徴とする放熱効果を高めたプリント基板を備えたＣＲＴ表示装置。
【請求項４】
発熱する電子部品及び記録再生ユニットが実装されたプリント基板を備えた、若しくは、発熱する電子部品が実装されたプリント基板と記録再生ユニットとが近接して配置される記録再生装置又は記録再生装置内蔵映像表示装置であって、孔の一部若しくは全部が、前記記録再生ユニットの前記プリント基板への射影部分にかかるように、且つ、前記発熱する電子部品の近傍部分に位置するように、前記プリント基板に通風孔を形成したことを特徴とする放熱効果を高めたプリント基板を備えた記録再生装置又は記録再生装置内蔵映像表示装置。
【請求項５】
請求項４記載の放熱効果を高めたプリント基板を備えた記録再生装置又は記録再生装置内蔵映像表示装置であって、前記プリント基板に前記通風孔を形成せずに、前記プリント基板の前記通風孔の位置に共取り基板を形成したことを特徴とする放熱効果を高めたプリント基板を備えた記録再生装置又は記録再生装置内蔵映像表示装置。
【請求項６】
前記共取り基板がＣＲＴ基板であり、且つ、前記記録再生ユニットが光ディスク媒体から信号の読込み若しくは書込み又は読書きを行うディスク装置であることを特徴とする請求項５記載の放熱効果を高めたプリント基板を備えた記録再生装置内蔵映像表示装置。
【発明の詳細な説明】
【技術分野】
【０００１】
本発明は、放熱効果を高めたプリント基板に関するものであり、特に共取り基板をメイン基板から分離することによって放熱のための通風孔が形成される放熱効果を高めたプリント基板に関する。
【背景技術】
【０００２】
テレビや映像記録再生装置（ＤＶＤレコーダ等）といった電子・電気機器に備えられる回路基板には種々の電子部品や電子装置等が実装されており、これらの電子部品等のなかには相当量の熱を発生するものが多数ある。加えてこれらの電子部品等は温度が上昇しすぎると動作が不安定になるものも多数存在するため、電気機器内に発生した熱をうまく放熱してやることが必要となる。このような熱問題は、近年の製品の小型化・薄型化のための部品の高密度化や、性能向上のための部品の高出力化などに伴いより顕著なものとなっている。
【０００３】
このような問題に対し、電気機器の筐体に通風孔を設けることで、機器内に発生した熱を機器外に放出させることが従来行われており、さらに機器内に備えられるプリント基板にも通風孔を設けることで機器外から機器内・機器内から機器外への気流の通り路をつくり、放熱効果を高めようとすることが行われていた。
【０００４】
上記した放熱用の通風孔を設けたプリント回路基板に関する従来技術が特許文献１や特許文献２などによって開示されている。
【０００５】
【特許文献１】実開平５−５５５９０号公報
【特許文献２】特開２００２−９３９２８号公報
【発明の開示】
【発明が解決しようとする課題】
【０００６】
従来、プリント基板に断続する切込みを形成すること等によりプリント基板の一部分を切離し、これによって生じた穴によってプリント基板上の電子部品の放熱効果を高めようとするものがあった。特許文献１で開示される従来技術は、このような切離される基板部分（捨て基板）を形成するコストや切離し作業を不要とするために、放熱用の穴をプレス加工によって設けるものである。しかし、特許文献１で開示される従来技術においては、プレス用の金型やプレス工程が別途必要となるものであった。
【０００７】
一方、電気機器においては「機器全体の処理をするメイン基板と特定の処理をするサブ基板」というように、複数の基板を必要とすることが多いため、基板効率を上げると共に１工程で複数の基板を処理できるように基板の共取り（メイン基板とサブ基板とを切離し可能とした上で一枚の基板として成形し、共通する工程を一枚の基板として処理した後に、両者を切離して別基板として使用する）をすることが従来行われている。
【０００８】
本発明は、上記した現状を踏まえた上で、放熱性に優れたプリント基板を備えた電気機器を低コストにて提供することを目的とする。
【課題を解決するための手段】
【０００９】
請求項１の放熱効果を高めたプリント基板は、発熱する電子部品又は電子装置が実装されるプリント基板であって、当該プリント基板から切離されて使用される共取り基板を、前記発熱する電子部品又は電子装置が実装される部分の近傍又は直下となる部分に形成したことを特徴とする。
【００１０】
上記構成によれば、プリント基板から共取り基板を切離すことにより、プリント基板上に実装される発熱する電子部品又は電子装置などの近傍又は直下となる部分に穴が形成される。
【００１１】
請求項２の放熱効果を高めたプリント基板を備えた電気機器は、請求項１記載の放熱効果を高めたプリント基板を備えたことを特徴とする。
【００１２】
上記構成によれば、電気機器内に配置されるプリント基板が穴を有することにより電気機器内に通風路が形成される。
【００１３】
請求項３の放熱効果を高めたプリント基板を備えたＣＲＴ表示装置は、請求項１記載の放熱効果を高めたプリント基板を備え、且つ、前記共取り基板がＣＲＴ基板であることを特徴とする。
【００１４】
上記構成によれば、ＣＲＴ表示装置のプリント基板から共取り基板であるＣＲＴ基板を切離すことによって、プリント基板に通風孔となる穴が形成される。
【００１５】
請求項４の放熱効果を高めたプリント基板を備えた記録再生装置又は記録再生装置内蔵映像表示装置は、発熱する電子部品及び記録再生ユニットが実装されたプリント基板を備えた、若しくは、発熱する電子部品が実装されたプリント基板と記録再生ユニットとが近接して配置される記録再生装置又は記録再生装置内蔵映像表示装置であって、孔の一部若しくは全部が、前記記録再生ユニットの前記プリント基板への射影部分にかかるように、且つ、前記発熱する電子部品の近傍部分に位置するように、前記プリント基板に通風孔を形成したことを特徴とする。
【００１６】
上記構成によれば、記録再生装置又は記録再生装置内蔵映像表示装置内の発熱電子装置である記録再生ユニットの直下部分（射影部分）及び、発熱電子部品の近傍部分に通風路が形成される。
【００１７】
請求項５の放熱効果を高めたプリント基板を備えた記録再生装置又は記録再生装置内蔵映像表示装置は、請求項４記載の放熱効果を高めたプリント基板を備えた記録再生装置又は記録再生装置内蔵映像表示装置であって、前記プリント基板に前記通風孔を形成せずに、前記プリント基板の前記通風孔の位置に共取り基板を形成したことを特徴とする。
【００１８】
上記構成によれば、プリント基板から共取り基板を切離すことによって、記録再生ユニットの直下部分（射影部分）及び発熱電子部品の近傍となる部分に通風孔となる穴が形成される。
【００１９】
請求項６の放熱効果を高めたプリント基板を備えた記録再生装置内蔵映像表示装置は、請求項５記載の放熱効果を高めたプリント基板を備えた記録再生装置内蔵映像表示装置であって、前記共取り基板がＣＲＴ基板であり、且つ、前記記録再生ユニットが光ディスク媒体から信号の読込み若しくは書込み又は読書きを行うディスク装置であることを特徴とする。
【発明の効果】
【００２０】
本発明の請求項１の、発熱する電子部品又は電子装置が実装されるプリント基板であって、当該プリント基板から切離されて使用される共取り基板を、前記発熱する電子部品又は電子装置が実装される部分の近傍又は直下となる部分に形成したことを特徴とする放熱効果を高めたプリント基板によれば、基板を共取りとすることによってコストの削減がなされると共に、共取り基板を発熱する電子部品・電子装置が実装される部分の近傍又は直下となる部分に形成することで、当該共取り基板を切離すことによりプリント基板に生ずる穴が通風孔となるため、発熱電子部品・電子装置の放熱効果を向上させることができる。又、共取り基板のプリント基板からの切離し作業と放熱のための通風孔をプリント基板に形成する作業とが一体のものであり、プリント基板に通風孔を空けるための新たな装置・作業を必要としないため、作業効率にも優れる。さらに、共取り基板の除去によって生じる穴は比較的大きなものとなるため、放熱効果も大きいものとなる。
【００２１】
本発明の請求項２の、請求項１記載の放熱効果を高めたプリント基板を備えたことを特徴とする放熱効果を高めたプリント基板を備えた電気機器によれば、プリント基板が通風孔を有することにより電気機器内に通風路が形成されるため、電気機器内の発熱電子部品・電子装置の近傍部分において対流が起こり易くなり、有効に発熱電子部品・電子装置の熱が伝達・放熱されるため、電気機器内の部品・装置が過度に温度上昇することを防止することができる。
【００２２】
本発明の請求項３の、請求項１記載の放熱効果を高めたプリント基板を備え、且つ、前記共取り基板がＣＲＴ基板であることを特徴とする放熱効果を高めたプリント基板を備えたＣＲＴ表示装置によれば、プリント基板（メイン）の他に別途必要となるＣＲＴ基板をメインプリント基板との共取りとすることによって、基板効率の向上及びコストの削減がなされると共に、ＣＲＴ基板をメインプリント基板の発熱する電子部品・電子装置などが実装される部分の近傍又は直下となる部分に形成することによって、メインプリント基板からＣＲＴ基板を切離すことでメインプリント基板の発熱電子部品・電子装置の近傍部分に放熱のための通風孔となる穴が形成されるため、放熱効果の高いＣＲＴ表示装置を低コストにて製造することができる。
【００２３】
本発明の請求項４の、発熱する電子部品及び記録再生ユニットが実装されたプリント基板を備えた、若しくは、発熱する電子部品が実装されたプリント基板と記録再生ユニットとが近接して配置される記録再生装置又は記録再生装置内蔵映像表示装置であって、孔の一部若しくは全部が、前記記録再生ユニットの前記プリント基板への射影部分にかかるように、且つ、前記発熱する電子部品の近傍部分に位置するように、前記プリント基板に通風孔を形成したことを特徴とする放熱効果を高めたプリント基板を備えた記録再生装置又は記録再生装置内蔵映像表示装置によれば、特に熱の篭り易い装置である記録再生ユニットの直下部分（射影部分）及び、発熱電子部品の近傍部分に通風路が形成されることによって、当該部分において対流が生じ易くなるため、これらの部品・装置が過度に温度上昇することが防止される。
【００２４】
本発明の請求項５の、請求項４記載の放熱効果を高めたプリント基板を備えた記録再生装置又は記録再生装置内蔵映像表示装置であって、前記プリント基板に前記通風孔を形成せずに、前記プリント基板の前記通風孔の位置に共取り基板を形成したことを特徴とする放熱効果を高めたプリント基板を備えた記録再生装置又は記録再生装置内蔵映像表示装置によれば、プリント基板から共取り基板を切離すことによって、記録再生ユニット及び発熱電子部品の近傍となる部分に通風孔となる穴が形成されるため、放熱効果の高い記録再生装置又は記録再生装置内蔵映像表示装置を低コストにて製造することができる。
【００２５】
本発明の請求項６の、前記共取り基板がＣＲＴ基板であり、且つ、前記記録再生ユニットが光ディスク媒体からの信号の読込み若しくは書込み又は読書きを行うディスク装置であることを特徴とする請求項５記載の放熱効果を高めたプリント基板を備えた記録再生装置内蔵映像表示装置によれば、プリント基板からＣＲＴ基板を切離すことで、特に熱が篭り易い装置であるディスク装置及び発熱電子部品の近傍部分に通風孔となる穴が形成されるため、放熱効果の高い記録再生装置内蔵映像表示装置を低コストにて製造することができる。又、ディスク装置及び発熱電子部品の放熱効果が高いことにより、記録再生装置内蔵映像表示装置内の部品の高密度化が可能となることによる装置の小型化や、設計の自由度が高くなるという副次的な効果も得ることができる。
【発明を実施するための最良の形態】
【００２６】
以下、本発明の具体的実施例について、図面を参照しながら説明する。なお、以下の実施態様は、本発明を具体化する際の一形態であって、本発明をその範囲内に限定するためのものではない。
【実施例１】
【００２７】
図１は本実施例の放熱効果を高めたプリント基板の平面図であり、図２は当該プリント基板から共取り基板であるＣＲＴ基板を切離した状態を示す斜視図である。図３は本実施例の放熱効果を高めたプリント基板を備えたＣＲＴ表示装置の構成の概略を示す分解斜視図であり、図４は当該ＣＲＴ表示装置を示す斜視図である。
【００２８】
本実施例の放熱効果を高めたプリント基板を備えたＣＲＴ表示装置１（以下単にＣＲＴ表示装置１）は、図３に示されるように、フロントキャビネット１１及びリアキャビネット１２によって構成される筐体内に、ＣＲＴ表示管１５・メインプリント基板１０・スピーカー１６等が備えられる。開口窓部１１ｃを有するフロントキャビネット１１には、ＣＲＴ表示管１５が映像表示領域を開口窓部１１ｃによって露出されて備えられると共に、フロントキャビネット１１の下部には、映像・音声の信号の処理などを行うメインプリント基板１０が備えられ、スピーカー１６が音響効果を考慮してフロントキャビネット１１の両サイドに配置される。また、ＣＲＴ表示管１５にはメインプリント基板１０からのＲＧＢ信号を増幅して出力する回路を備えるＣＲＴ基板１７が接続される。
【００２９】
図１に示されるように、メインプリント基板１０とＣＲＴ基板１７とは共取りとなっており、基板への電気・電子部品の装着及びこれら電気・電子部品の基板への半田付けといったメインプリント基板１０とＣＲＴ基板１７とに共通する工程では、両者を切離さずに一枚の基板として処理をすることによって作業工数とコストの削減が図られる。ＣＲＴ基板１７は、メインプリント基板１０とＣＲＴ基板１７とに共通する工程を終えた後に、メインプリント基板１０に形成された一部断続する切込み１７ａに沿ってメインプリント基板１０から切離され、メインプリント基板１０とは別基板として使用（ＣＲＴ表示管１５に接続）される。
【００３０】
図１及び図２に示されるようにメインプリント基板１０上には、チューナ２１・フライバックトランス２２・マイコン２４・電源トランス２５・各制御ＩＣ等の電気・電子部品が装着される。パワートランジスタや各制御ＩＣ等の発熱する電子部品２３には放熱板２３ａが装着され、発熱電子部品２３の放熱効果を高めている。なお、図面では簡単化されているが、メインプリント基板１０はさらに種々の電気・電子部品が装着されてなるものである。図に示されるように共取り基板であるＣＲＴ基板１７は、発熱電子部品２３・放熱板２３ａの近傍又は直下となる部分に形成される。これにより、ＣＲＴ基板１７がメインプリント基板１０から切離されることで、メインプリント基板１０上の発熱電子部品２３・放熱板２３ａの近傍又は直下となる部分に通風孔２７が形成されることとなる。
【００３１】
電子部品２３が発熱すると周辺の空気が膨張することによって密度が小さくなって上昇し、そこへ周囲の低温度の空気が流入する。図２に示されるように、本実施例のＣＲＴ表示装置１によれば、発熱電子部品２３の近傍にＣＲＴ基板１７を切離すことにより生ずる比較的大きな通風孔２７があるため、基板（メインプリント基板１０）の下部からも低温度の空気の流入が生じる（基板下部からの通風路が形成される）ため発熱電子部品２３の放熱効果をより向上させることができる。また、メインプリント基板１０とＣＲＴ基板１７とを共取りにすることによってコストの削減がなされると共に、メインプリント基板１０からのＣＲＴ基板１７の切離し作業によって通風孔２７が形成されるため、通風孔２７を形成するための特別の金型等のコストや作業工程を必要としないため、低コストにて発熱電子部品の放熱効果を高めたプリント基板を備えたＣＲＴ表示装置を提供することが可能となる。
【００３２】
なお、本実施例おいてはＣＲＴ表示装置を例として説明したが本発明をこれに限るものではなく、発熱する電子・電気部品又は装置が実装されるプリント基板を備える多種の電気機器に対して本発明を適用できる。電気機器とはＡＶ機器・家庭用熱器具・冷暖房器具などを含むものであり、ＡＶ機器とは例えば、テレビ、ＶＴＲ、ＤＶＤ再生／記録装置、ＨＤＤ再生／記録装置、ラジオ、ＲＥＣＯＲＤ  ＰＬＡＹＥＲ、ＣＡＳＥＴＴＥ  ＤＥＣＫ、ＨＯＭＥ  ＴＨＥＡＴＥＲ  ＳＹＳＴＥＭ、ＡＵＤＩＯ  ＣＯＭＰＯＮＥＮＴ  ＳＹＳＴＥＭ、ＡＶアンプ、ＭＤ記録／再生装置、ＬＡＳＥＲ  ＤＩＳＣ  ＰＬＡＹＥＲなどである。家庭用熱器具とは例えば、電子レンジ、オーブンレンジ、トースター、ＩＨクッキングヒーター、アイロンなどであり、冷暖房器具とは、例えば、エアコン、ファンヒーター、電気毛布、電気カーペット、扇風機などである。さらに本発明に係る電気機器は、冷蔵庫、洗濯機、布団乾燥機、衣類乾燥機、除湿機、加湿器、ウォシュレット付き便座、換気システム、パソコン、携帯電話、電話、時計、デジタルカメラ、ビデオカメラ、掃除機、ゲーム機、プロジェクターなどを含むものである。また、本実施例おいてはＣＲＴ表示装置を例としたため、通風孔の位置に形成する共取り基板をＣＲＴ基板としているが、本発明をこれに限るものではなく、本発明が適用される電気機器に応じて必要となる基板を共取り基板とすることができ、当該共取り基板とメイン基板とが１つの電気機器内に同時に内蔵されて使用されるものに限るものでもない。
【実施例２】
【００３３】
図５は本実施例における放熱効果を高めたプリント基板の平面図であり、図６は当該記録再生装置内蔵映像表示装置を示す斜視図である。図７は本実施例の放熱効果を高めたプリント基板を備えた記録再生装置内蔵映像表示装置の構成の概略を示す分解斜視図であり、図９は当該プリント基板から共取り基板であるＣＲＴ基板が切離され、シャーシにプリント基板とＤＶＤ記録再生ユニットとが取付けられた状態を示す斜視図である。図１０は図９のＡ−Ａ線に沿った断面図である。なお、実施例１と同様の構成要素については実施例１と同一の符号を使用し、ここでの説明を省略する。
【００３４】
本実施例の放熱効果を高めたプリント基板を備えた記録再生装置内蔵映像表示装置７（以下単に複合機７）は、図７に示されるように、フロントキャビネット１１及びリアキャビネット１２によって構成される筐体内に、ＣＲＴ表示管１５・メインプリント基板７０・スピーカー１６等が備えられ、ＣＲＴ表示管１５にはＣＲＴ基板１７が接続される。メインプリント基板７０はシャーシ７１によって保持されてフロントキャビネット１１に取付けられる。また、記録再生装置であるＤＶＤ記録再生ユニット７２は、図８・図９に示されるように（図８はＤＶＤ記録再生ユニット７２をシャーシ７１に取付ける前の状態を示す斜視図である）メインプリント基板７０の上面に位置するようにシャーシ７１に取り付けられる。シャーシ７１がフロントキャビネット１１下部の前面に取り付けられることにより、図６に示されるように、複合機７の前面からディスク装置７２ａに備えられるディスクを載置するためのトレイ７２ａ１が出入し、光ディスク媒体を装置内に出し入れすることができるようになる。
【００３５】
ＤＶＤ記録再生ユニット７２は、図１０に示されるように、光ディスク媒体から信号の読込み若しくは書込み又は読書きを行うディスク装置７２ａがノイズ遮蔽のためのシールドボックス７２ｂ内に収められているものであり、図８・図９に示されるように、メインプリント基板７０の上面に位置するようにシャーシ７１に取り付けられ、ディスク装置７２ａとメインプリント基板７０とが、フラットケーブル７７等を介して電気的に接続されることにより、電源の供給及び、映像・音声・制御信号等の各信号の入出力が行われる。
【００３６】
図５に示されるように、メインプリント基板７０とＣＲＴ基板１７とは共取りとなっており、ＣＲＴ基板１７は、その一部が発熱量の多いＤＶＤ記録再生ユニット７２の直下部分となるように、且つ、発熱電子部品２３・放熱板２３ａの近傍となるように形成される。これにより、ＣＲＴ基板１７がメインプリント基板７０から切離されることで、ＤＶＤ記録再生ユニット７２の直下であって且つメインプリント基板７０上の発熱電子部品２３・放熱板２３ａの近傍又は直下となる部分に通風孔２７が形成されることとなる。
【００３７】
図１０に示されるように、本実施例の複合機７によれば、通風孔２７が形成されることによりメインプリント基板７０下部からの通風路ができ、ＤＶＤ記録再生ユニット７２の下部及びＤＶＤ記録再生ユニット７２と発熱電子部品２３との間に低温の空気が流入するため、通風孔２７が無いとした場合のＤＶＤ記録再生ユニット７２と発熱電子部品２３とが相互に温度上昇を助長させるといった問題も低減・防止される。特に近年需要が伸びている記録形のディスク装置は再生のみのものと比べて発熱量が多く、さらに記録速度の倍速化などに伴う高出力化によってディスク装置の発熱量は大きくなる傾向にあるため、本発明の適用が好適となる。
【００３８】
また、共取り基板（ＣＲＴ基板１７）をＤＶＤ記録再生ユニット７２の直下部分に形成することによって、図８・図９に示されるように、ＤＶＤ記録再生ユニット７２がシャーシ７１上のメインプリント基板７０の上部に配置された構成であっても、ＤＶＤ記録再生ユニット７２を通風孔２７を介して、シャーシ７１に形成した切起こし７１ａに固定（ＤＶＤ記録再生ユニット７２をシャーシ７１に直接固定）することが可能となり、強度の向上及び設計の自由度が高まる。尚且つ、シャーシ７１に切起こし７１ａを形成することにより、シャーシ７１に穴が生じるため、これが通風孔となり、シャーシ７１の下部からメインプリント基板７０の上部までの通風路が形成されることとなり、ＤＶＤ記録再生ユニット７２と発熱電子部品２３の放熱効果をより高めることができる。
【００３９】
本実施例においては、記録再生装置内蔵映像表示装置としてＤＶＤ記録再生装置を内蔵したＣＲＴ表示装置を例にして説明したが、本発明をこれに限るものではなく、記録再生装置としてはＨＤＤやＶＣＲ等であっても構わないし、表示装置としてはＬＣＤ等であっても構わない。
【図面の簡単な説明】
【００４０】
【図１】実施例１の放熱効果を高めたプリント基板の平面図
【図２】実施例１の放熱効果を高めたプリント基板の斜視図
【図３】実施例１の放熱効果を高めたプリント基板を備えたＣＲＴ表示装置の構成の概略を示す分解斜視図
【図４】実施例１の放熱効果を高めたプリント基板を備えたＣＲＴ表示装置を示す斜視図
【図５】実施玲煮のほう熱効果を高めたプリント基板の平面図
【図６】実施例２の記録再生装置内蔵映像表示装置を示す斜視図
【図７】実施例２の記録再生装置内蔵映像表示装置の構成の概略を示す分解斜視図
【図８】シャーシにプリント基板が取付けられた状態を示す斜視図
【図９】シャーシにプリント基板がＤＶＤ記録再生ユニットと共に取付けられた状態を示す斜視図
【図１０】図９のＡ−Ａ線に沿った断面図
【符号の説明】
【００４１】
１  放熱効果を高めたプリント基板を備えたＣＲＴ表示装置
７  放熱効果を高めたプリント基板を備えた記録再生装置内蔵映像表示装置
１０、７０  メインプリント基板（プリント基板）
１７  ＣＲＴ基板（共取り基板）
２３  発熱電子部品
２３ａ  放熱板
２７  通風孔
７１  シャーシ
７２  ＤＶＤ記録再生ユニット（記録再生ユニット）
【図１】
2005327896.tif 000003
【図２】
2005327896.tif 000004
【図３】
2005327896.tif 000005
【図４】
2005327896.tif 000006
【図５】
2005327896.tif 000007
【図６】
2005327896.tif 000008
【図７】
2005327896.tif 000009
【図８】
2005327896.tif 000010
【図９】
2005327896.tif 000011
【図１０】
2005327896.tif 000012